(57)【特許請求の範囲】
【請求項１】
エレベータの乗籠の籠室を囲う側壁の上端に外周部が接合されて前記籠室の上部を覆い前記側壁との接合部よりも内側に前記外周部に近い係止端部が狭く中央寄りの挿通端部が広いスロットを有する天板と、
前記乗籠の上部に設置される照明装置の光源の下方を覆って前記籠室の天井の意匠を形成するとともに前記天板に沿って内側に延びるフランジを前記天板に対向する縁に有する照明ケースと、
前記照明ケースの縁に取り付けられて前記スロットの前記挿通端部を通過し前記係止端部に係合する頭部を有したフックと、
前記スロットの前記挿通端部と前記係止端部の間に配置された堰と、
前記スロットが開口する前記天板の対辺側に取り付けられ前記照明ケースの前記フランジを係止する舌片と、
を備えることを特徴とする乗籠の天井。
【請求項２】
前記堰は、前記天板に取り付けられる補強部材の一部で形成される
ことを特徴とする請求項１に記載の天井。
【請求項３】
前記天板は、前記外周部よりも内側の範囲で上方に立ちあがる縦壁を有し、
前記スロットは、前記縦壁から前記外周部に掛けて形成され、
前記挿通端部は、前記縦壁の上側に形成され、
前記係止端部は、前記外周部に形成され、
前記堰は、前記縦壁の下側に形成される
ことを特徴とする請求項１に記載の天井。
【請求項４】
前記スロットの前記挿通端部は、前記挿通端部から前記係止端部に向かう中心線に対して非対称形状であり、
前記フックの前記頭部は、前記挿通端部の形状に対応した非対称形状である
ことを特徴等する請求項１に記載の天井。
【請求項５】
前記フックの基部が前記係止端部に突き当たる場合に前記フランジが前記舌片と前記天板との間に差し込まれる
ことを特徴とする請求項１に記載の天井。
【請求項６】
前記フックは、前記天板に向かって膨出した凸部を前記フックの前記頭部から前記フックの基部の間に有した波形に形成されている
ことを特徴とする請求項１に記載の天井。
【請求項７】
前記頭部は、前記凸部が前記天板に当接する場合に、前記天板から離れる
ことを特徴とする請求項６に記載の天井。
【請求項８】
エレベータの昇降路を移動する乗籠であって、
籠室を囲う側壁と、
前記側壁の上端に外周部が接合されて前記籠室の上部を覆い前記側壁との接合部よりも内側に前記外周部に近い係止端部が狭く中央寄りの挿通端部が広いスロットを有する天板と、
前記乗籠の上部に設置される照明装置の光源の下方を覆い前記天板に対する当接部が前記天板に沿って内側に延びるフランジを有し前記籠室の天井の意匠を形成する照明ケースと、
前記照明ケースの縁に取り付けられて前記スロットの前記挿通端部を通過し前記係止端部に係合する頭部を有したフックと、
前記スロットの前記挿通端部と前記係止端部の間に配置された堰と、
前記スロットが開口する前記天板の対辺側に取り付けられ前記照明ケースの前記フランジを係止する舌片と
を備えることを特徴とする乗籠。
【発明の詳細な説明】
【技術分野】
【０００１】
本発明の実施形態は、エレベータの乗籠の中から照明装置の照明ケースが装着される天井およびその天井を備える乗籠に関する。
【背景技術】
【０００２】
エレベータの乗籠の天井には、照明装置が取り付けられる。照明装置の照明ケースは、天井を構成する天板のほぼ全面を覆うように形成される。照明ケースを固定するための固定器具や締結具などは、籠室内から見たときの意匠を考慮して、照明ケースによって覆われる範囲に見えないように配置される。照明ケースは、天板に締結具によって直接的に固定される場合と、照明ケースの一つの縁に沿う軸を中心に乗籠の室内側へ回動するようにヒンジを介して天板に吊下げられる場合と、がある。また、照明装置の光源を乗籠の室内側から取り替えることができるように、透光板や散光板などのカバーは、外周に設けられたフランジで照明ケースの開口部に引っ掛けられるものがある。
【先行技術文献】
【特許文献】
【０００３】
【特許文献１】特開２００６−１９９４０１号公報
【特許文献２】特開２０１０−６５７２号公報
【特許文献３】特開平２−６６５８１号公報
【発明の概要】
【発明が解決しようとする課題】
【０００４】
ところで、乗籠の天板のほぼ全面を覆うように照明装置が取り付けられる場合、エレベータの乗籠を現地で組み立てる際に天井とともに組み込まれる。このような方法で照明装置を組み立てると、照明装置が組み付けられた天井が重くサイズも大きくなるため、昇降路内で揚重するなどの必要が生じ、取り扱いが不便である。
【０００５】
また、乗籠に対する昇降路の内法寸法が小さくなるにしたがって、昇降路内に設置される機器類との距離が接近するため、照明装置が取り付けられた天井を昇降路内で取り扱うのに作業性が悪くなる。さらに、天板を側壁に接合して乗籠を組み立てた後で照明装置を乗籠の室内から取り付ける場合、照明装置を乗籠の室内から支え、乗籠の上から締結具を取り付けなければならない。
【０００６】
そこで、天板のほぼ全面を覆うように取り付けられる照明ケースを乗籠の室内から装着でき、かつ、固定部分が乗籠の室内に露出されない構造を有した天井、およびその天井を備える乗籠を提供する。
【課題を解決するための手段】
【０００７】
一実施形態のエレベータの乗籠の天井は、天板と照明ケースとフックと堰と舌片とを備える。天板は、エレベータの乗籠の籠室を囲う側壁の上端に外周部が接合されて籠室の上部を覆う。この天板は、側壁との接合部よりも内側に、外周部に近い係止端部が狭く中央寄りの挿通端部が広いスロットを有する。照明ケースは、乗籠の上部に設置される照明装置の光源の下方を覆い、籠室の天井の意匠を形成する。この照明ケースは、天板に沿って内側に延びるフランジを天板に対向する縁に有する。フックは、照明ケースの縁に取り付けられて、スロットの挿通端部を通過し係止端部に係合する頭部を有する。堰は、スロットの挿通端部と係止端部の間に配置される。舌片は、スロットが開口する天板の対辺側に取り付けられ照明ケースのフランジを係止する。
【図面の簡単な説明】
【０００８】
【図１】第１の実施形態の天井を備える乗籠の籠室内部を示す斜視図。
【図２】図１に示した天井を上から見た斜視図。
【図３】図２に示したスロットおよびフックの周辺の平面図。
【図４】図２に示した照明ケースのフックの周辺の斜視図。
【図５】図１に示した天井の天板に照明ケースを組み付ける前の斜視図。
【図６】図５に示した天井の照明ケースを天板に吊下げた断面図。
【図７】図６に示した照明ケースを回動させて持ち上げる状態の断面図。
【図８】図７に示した照明ケースの回動途中のフックの斜視図。
【図９】図７に示した照明ケースを天板に固定した状態の断面図。
【図１０】図５〜８に示したフックの動きを示す断面図。
【図１１】図９に示した照明ケースのフランジと舌片の断面図。
【図１２】第２の実施形態の天井を示す斜視図。
【図１３】第３の実施形態の天井を示す斜視図。
【図１４】図１３に示した天井のフックを補強部材の窓に通す状態の断面図。
【図１５】図１３に示した天井のフックが堰を越えた状態の斜視図。
【図１６】第４の実施形態の天井を示す斜視図。
【図１７】図１６に示したフックおよびスロットを含む周辺の断面図。
【図１８】第５の実施形態の天井のフックおよびスロットの周辺を示す斜視図。
【図１９】図１８に示した天井に照明ケースを取り付ける際のフックの動きを示す断面図。
【発明を実施するための形態】
【０００９】
第１の実施形態の天井を備えるエレベータの乗籠１は、図１から図１１を参照して説明する。図１に示す乗籠１は、籠室を囲う側壁２０と、籠室の上部を覆う天井１０とを備える。天井１０は、天板１１と照明ケース１２とフック１３と堰１４と舌片１５とを有する。天板１１は、側壁２０の上端に外周部が接合される。照明ケース１２は、乗籠１の上部に設置される照明装置Ｌの光源Ｌ１の下方を覆うように天板１１の籠室側のほぼ全面を覆って天井１０の意匠を形成する。図１において、乗籠１のドア装置２側から見て右側および奥の側壁は、省略している。
【００１０】
側壁２０の上端は、図２に示すように籠室の外側に向かって折り返されている。天板１１の外周部の縁は、側壁２０が下方へ折り返された位置で上方へ折り曲げられている。天板１１の外周部は、図２に示すように側壁２０の上端にボルト２１とナット２２で締結される。天板１１と照明ケース１２との間に照明装置Ｌの光源Ｌ１が配置されている。
【００１１】
照明ケース１２は、図２に示すように光源Ｌ１の下方となる中央部に透光性の樹脂で造られたカバー１２２を備えている。照明ケース１２は、天板１１に沿って内側に延びるフランジ１２１を天板１１に対向する縁に有している。このフランジ１２１は、フック１３が取り付けられる部分を除き、照明ケース１２の外周部の全周に形成されている。
【００１２】
天板１１は、側壁２０との接合部よりも内側の外周部の１つの辺１１ａに沿って２か所にスロット１１１を有している。スロット１１１は、図３に示すように外周部に近い側に幅の狭い係止端部１１２を有し、天板１１の中央寄りに幅の広い挿通端部１１３を有している。スロット１１１の挿通端部１１３は、挿通端部１１３から係止端部１１２に向う中心線Ｍに対して対称に形成されている。
【００１３】
フック１３は、図４および図５に示すようにスロット１１１の数に応じた数だけ照明ケース１２の１つの１２ａ辺に取り付けられている。フック１３は、図１および図４に示すように照明ケース１２の外周寄りも外側へ延びる頭部１３１を有している。この頭部１３１は、図３に示すように挿通端部１１３の形状に対応した対称形であり、挿通端部１１３を通過し、係止端部１１２に係合する。照明ケース１２の大きさに応じて、スロット１１１およびそこに嵌め込まれるフック１３の数を例えば３つや４つ、それ以上に増やしても良い。このときフック１３は、照明ケース１２の１つの辺１２ａに沿って配置されるので、スロット１１１もまた側壁２０の１つに沿う天板１１の外周部の１つの辺１１ａに沿って一列に並べて配置される。
【００１４】
堰１４は、図２および図３に示すように、スロット１１１の挿通端部１１３と係止端部１１２との間に配置されている。堰１４は、天板１１から上方へ延びている。この堰１４は、スロット１１１の挿通端部１１３を形成するために天板１１を切った一部を折り曲げて造られている。堰１４は、図６および図８に示すようにスロット１１１に通されたフック１３が挿通端部１１３から不用意に脱落しないように係止する。したがって、天板１１に一体に形成される代わりに、別部材を取り付けても良いし、対称に広がった挿通端部１１３の片側にのみ設けられていても良い。
【００１５】
舌片１５は、図１、図２、図５および図６に示すようにスロット１１１が開口する天板１１の対辺１１ｂ側に取り付けられている。この舌片１５は、フック１３が設けられた側の対辺１２ｂの照明ケース１２のフランジ１２１を係止する。フック１３の基部１３２が係止端部１１２に突き当たる状態で、フランジ１２１は、舌片１５と天板１１との間に差し込まれる。舌片１５は、図５や図６に示すように別部材を取り付けるだけでなく、天板１１を部分的にプレスで打ち抜いて形成されていても良い。
【００１６】
以上のように構成された天井１０は、図５から図９に示す要領で天板１１に照明ケース１２が組み付けられる。図５から図９まで照明ケース１２を天板１１に取り付ける際のフック１３の動きを図１０に示す。図５に示すように照明ケース１２を乗籠１の中に搬入する。図１０中の矢印Ａ１で示すように照明ケース１２に取り付けられたフック１３をスロット１１１の挿通端部１１３から通す。挿通端部１１３を越えた頭部１３１は、堰１４を越えて係止端部１１２に引っ掛ける。
【００１７】
図１および図２に示す状態の照明ケース１２の鉛直方向の最大寸法よりも側壁２０から離れた位置に、堰１４が設けられている。したがって、照明ケース１２を図６に示すように天板１１に吊り下げた状態でも、照明ケース１２は、側壁２０に当たらない。
【００１８】
図６に示した状態から図１０中に矢印Ａ２に沿ってフック１３側を支点に照明ケース１２を回動させて図７に示すように持ち上げる。なお、図７においてカバーは省略している。スロット１１１の係止端部１１２は、図８に示すように挿通端部１１３から側壁２０側に向って延びている。そこで照明ケース１２が天板１１に近づいたときに舌片１５側の側壁２０に当たらないように、図７中に二点差線で示すとともに図１０中に矢印Ａ３で示すように照明ケース１２の回動支点となるフック１３を側壁２０側へスライドさせながら回動させる。フック１３に対して対辺１２ｂ側のフランジ１２１が舌片１５に当たらずに、照明ケース１２のフランジ１２１が天板１１に当接する位置、すなわち図７中に一点鎖線で示された水平な位置まで照明ケース１２を回動させる。
【００１９】
最後に、図１０中に矢印Ａ４で示すように照明ケース１２をスライドさせ、図２および図９に示すようにフック１３の基部１３２がスロット１１１の係止端部１１２に突き当たる位置まで移動させる。フック１３に対して対辺１２ｂ側のフランジ１２１は、図９及び図１１に示すように、舌片１５と天板１１との間に差し込まれ保持される。
【００２０】
このように、フック１３側ではフック１３とその周囲のフランジ１２１によって天板１１を把持し、舌片１５側では舌片１５と天板１１によってフランジ１２１を把持することによって、照明ケース１２は天板１１に固定される。照明ケース１２は、図９に示すようにフック１３と舌片１５で保持される状態で、側壁２０からほぼ均等に離れ乗籠１の籠室のほぼ中央に配置される。図１０および図１１に示すように、照明ケース１２が天板１１に固定されている場合、天板１１に開口するスロット１１１および天板１１に取り付けられた舌片１５は、いずれも照明ケース１２によって覆われて籠室側から見えない。
【００２１】
照明ケース１２は、照明ケース１２を天板１１に装着したのと反対の手順で取り外すことができる。まず舌片１５側へ照明ケース１２をスライドさせ、フランジ１２１を舌片１５と天板１１の間から抜く。フック１３を支点にして照明ケース１２を下方へ回動させる。このときフック１３側の角が側壁２０に当たらないように、フック１３を側壁２０から離す方向へスライドさせながら回動させる。照明ケース１２を完全に天板１１から取り外してしまう場合は、さらに堰１４を越してフック１３の頭部１３１をスロット１１１の挿通端部１１３から抜き取る。
【００２２】
以上のように第１の実施形態の天井１０は、図６に示すようにフック１３によって照明ケース１２を一時的に天板１１に吊り下げた状態にすることができる。そのため天板１１のほぼ全面を覆うように照明ケース１２が取り付けられる場合でも、天板１１を側壁２０に接合した後で、乗籠１の内側から容易に照明ケース１２を取り付けることができる。そして、乗籠１に搬入した照明ケース１２を取り付ける際、段取り変えなどの作業性が向上する。また、メンテナンスなどにおいて、カバー１２２を着脱負荷の場合でも、照明装置Ｌの光源Ｌ１を交換する場合に、乗籠１の籠室側から照明ケース１２を簡単に取り外すことができるし、外した照明ケース１２をフック１３で天板１１に吊り下げておくことで安定した状態に保持できる。堰１４が設けられているので、不用意にフック１３がスロット１１１から脱落することもない。
【００２３】
また、この天井１０を備える乗籠１は、側壁２０の上端に天板１１のみを取り付けた後、乗籠１の内部から照明装置Ｌの光源Ｌ１や照明ケース１２を取り付けることができる。照明ケース１２が天板１１のほぼ全面を覆うように装着される場合であっても、いったん照明ケース１２を天板１１に吊り下げておくことができるため、作業しやすい。
【００２４】
第２の実施形態の天井１０は、図１２を参照して説明する。図１２に示す天井１０は、スロット１１１の形状とフック１３の形状が第１の実施形態の天井１０と異なっており、その他の構成は同じである。第１の実施形態の天井１０と同一の構成は、図１２中において第１の実施形態の天井１０と同じ符号を付す。詳細な説明は、第１の実施形態の該当する記載を参酌する。
【００２５】
図１２に示す天板１１に開口するスロット１１１の挿通端部１１３は、挿通端部１１３から係止端部１１２に向う中心線Ｍに対して非対称形状である。具体的には、中心線Ｍに対して片側が大きく開口している。２か所に設けられたスロット１１１の２つとも同じ側に挿通端部１１３が広く形成されていても良いし、天板１１の中心に対して対称形に挿通端部１１３が開口していてもよい。フック１３の頭部１３１は、スロット１１１の形状に対応して、片側に大きく張り出した非対称形状である。
【００２６】
挿通端部１１３を通されたフック１３の頭部１３１が係止端部１１２に係合することによって、照明ケース１２は、天板１１に吊り下げられる。また、フック１３の頭部１３１が堰１４によって係止されることによって、照明ケース１２が天板１１から不用意に落下することもない。第２の実施形態の天井１０は、第１の実施形態の天井１０と同様に、天板１１のほぼ全面を覆うように照明ケース１２が装着される場合でも、乗籠１の内側から照明ケース１２を容易に設置できる。
【００２７】
第３の実施形態の天井１０は、図１３から図１５を参照して説明する。図１３に示す天井１０は、ハット形断面を有した補強部材１６を、スロット１１１側および舌片１５側の天板１１の上部にそれぞれ有している。スロット１１１側に配置される補強部材１６は、スロット１１１の挿通端部１１３を覆っている。したがって、図１３から図１５に示すようにスロット１１１の挿通端部１１３に隣り合う補強部材１６の縦壁１６１は、挿通端部１１３と同様にフック１３の頭部１３１を通過させる窓１６２を有している。窓１６２は、縦壁１６１の上側に形成され、係止端部１１２と同じ幅でスロット１１１の係止端部１１２につながっている。堰１４は、窓１６２が形成された縦壁１６１の下側の部分によって形成される。
【００２８】
この他の構成は、第１の実施形態の天井１０と同じであるので、第１の実施形態と同じ構成には図１３から図１５中において第１の実施形態と同じ符号を付す。各符号に対応する詳細な説明は、第１の実施形態の天井１０の該当する記載を参酌する。また、図１３において照明装置Ｌの光源Ｌ１およびカバー１２２は、省略している。
【００２９】
以上のように構成された天井１０において、フック１３の頭部１３１は、図１４に示すように天板１１の挿通端部１１３に通された後、補強部材１６の窓１６２に通される。そして、フック１３の頭部１３１は、補強部材１６の縦壁１６１の下側によって形成される堰１４を越えて、図１５に示すように係止端部１１２に引っ掛けられる。照明ケース１２は、第１および第２の実施形態の場合と同様に、天板１１に吊り下げた状態に保持される。吊り下げられた照明ケース１２は、第１の実施形態の図５から図１１に示した照明ケース１２と同じ要領で天板１１に固定される。
【００３０】
第３の実施形態の天井１０は、第１および第２の実施形態の天井１０と同様に、天板１１のほぼ全面を覆うように照明ケース１２が装着される場合でも、乗籠１の内側から照明ケース１２を容易に設置できる。
【００３１】
第４の実施形態の天井１０は、図１６および図１７を参照して説明する。図１６に示す天井１０は、天板１１の中央部が外周部よりも高くなっている。つまり外周部と中央部の間に、外周部から上方へ立ち上がる縦壁１１４を有している。スロット１１１は、図１６および図１７に示すように縦壁１１４から外周部に掛けて形成されている。スロット１１１の挿通端部１１３は、縦壁１１４の上側に形成され、スロット１１１の係止端部１１２は、外周部に形成される。そして、堰１４は、挿通端部１１３と係止端部１１２の間の縦壁１１４の下側の部分によって形成される。縦壁１１４に設けられた挿通端部１１３および堰１４は、第３の実施形態の補強部材１６に造られた窓１６２および堰１４とほぼ同じ形状である。舌片１５は、スロット１１１が形成された側の辺１２ａに対する対辺１２ｂ側の外周部に取り付けられている。
【００３２】
以上のように構成された天井１０において、フック１３の頭部１３１は、縦壁１１４に開口する挿通端部１１３を通すと同時に堰１４を越えて、係止端部１１２に引っ掛けられる。照明ケース１２は、第１から第３の実施形態の場合と同様に、天板１１に吊り下げられた状態に保持されるとともに、第１の実施形態の図５から図１１に示した照明ケース１２と同じ要領で天板１１に固定される。
【００３３】
第４の実施形態の天井１０は、第１から第３の実施形態の天井１０と同様に、天板１１のほぼ全面を覆うように照明ケース１２が挿着される場合でも、乗籠１の内側から照明ケース１２を容易に設置できる。第３の実施形態の天井１０において、補強部材１６を設ける代わりに天板１１を矩形の波鋼板にした場合、この第４の実施形態の天板１１と同様に、スロット１１１の挿通端部１１３は、縦壁１１４の上側に作られ、堰１４は縦壁１１４の下側に形成される。
【００３４】
第５の実施形態の天井１０は、図１８および図１９を参照して説明する。この実施形態の天井１０は、第１の実施形態の天井１０に比べて、フック１３の形状が異なっている。それ以外の構成は、第１の実施形態の天井１０と同じである。第１の実施形態の天井１０と同じ構成は、図１８および図１９中に同一の符号を付す。また、図１８および図１９に図示された以外の部分は、第１の実施形態の図２を、照明ケース１２を天板１１に組み付ける要領に付いては、第１の実施形態の図５から図１１およびそれらに対応する記載を参酌する。
【００３５】
図１８に示す天井１０のフック１３は、凸部１３４を有した波形に形成されている。凸部１３４は、フック１３の頭部１３１から基部１３２の間に形成され、天板１１側に向かって膨出するように反り返っている。フック１３は、凸部１３４が天板１１に当接する場合に頭部１３１が天板１１から離れるように形成されている。
【００３６】
このように構成された天井１０のフック１３の動きは、図１９を参照して説明する。まず図１９中の矢印Ａ１１に示すように頭部１３１を挿通端部１１３に通して堰１４を越えさせる。頭部１３１を係止端部１１２に引っ掛けることで、照明ケース１２を天板１１に吊り下げる。次に、フック１３の頭部１３１を支点に照明ケース１２を図１９中の矢印Ａ１２にしたがって回動させる。照明ケース１２は、天板１１のほぼ全面を覆う大きさを有しているので、照明ケース１２が天板１１に近づくにしたがって、舌片１５側の照明ケース１２が側壁２０に接近する。したがって、第１の実施形態と同じく、支点となっているフック１３の頭部１３１を側壁２０側へ図１９中の矢印Ａ１３に沿ってスライドさせながら照明ケース１２を天板１１に向けて回動させる。
【００３７】
照明ケース１２と天板１１との接触面積が減るので、図１９中の矢印Ａ１４に沿って照明ケース１２をスライドさせるときの力が軽減される。照明ケース１２がフック１３側に向かって移動する途中で、フック１３の凸部１３４は、スロット１１１の係止端部１１２の縁を越えて天板１１の上面に乗り上げる。凸部１３４が天板１１の上面に接すると、頭部１３１は、天板１１から浮き上がる。
【００３８】
フック１３の凸部１３４と照明ケース１２のフランジ１２１とのギャップの寸法は、フック１３の頭部１３１とフランジ１２１とのギャップの寸法よりも小さく設定されている。さらに、凸部１３４とフランジ１２１とのギャップの寸法は、天板１１の板厚よりも小さく設定される。このように構成することによって、フック１３の基部１３２が係止端部１１２に突き当たる位置まで移動した照明ケース１２は、凸部１３４とフランジ１２１によってしっかりと把持される。また、頭部１３１によって天板１１に接している間は、天板１１との摩擦抵抗が小さいので、照明ケースを移動させやすい。
【００３９】
上述の各実施形態における照明装置の光源は、円形の蛍光管を想定して図示している。光源は、円形の蛍光管に限定されること無く、発光するものであれば冷陰極ランプや発光ダイオード（ＬＥＤ）、レーザー光などを採用することができるし、光源の形態および発光色も、自由に選択されるものである。
【００４０】
本発明のいくつかの実施形態を説明したが、これらの実施形態は、例として提示したものであり、発明の範囲を限定することを意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲は要旨に含まれるとともに、特許請求の範囲に記載された発明とその均等の範囲に含まれる。
【符号の説明】
【００４１】
１…乗籠、１０…天井、１１…天板、１１１…スロット、１１２…係止端部、１１３…挿通端部、１１４…縦壁、１２…照明ケース、１２１…フランジ、１３…フック、１３１…頭部、１３２…基部、１３４…第２の凸部、１４…堰、１５…舌片、１６…補強部材、１６１…縦壁、１６２…窓、２０…側壁、Ｌ…照明装置、Ｌ１…光源、Ｍ…中心線。
【図１】
0005483721.tif 000002
【図２】
0005483721.tif 000003
【図３】
0005483721.tif 000004
【図４】
0005483721.tif 000005
【図５】
0005483721.tif 000006
【図６】
0005483721.tif 000007
【図７】
0005483721.tif 000008
【図８】
0005483721.tif 000009
【図９】
0005483721.tif 000010
【図１０】
0005483721.tif 000011
【図１１】
0005483721.tif 000012
【図１２】
0005483721.tif 000013
【図１３】
0005483721.tif 000014
【図１４】
0005483721.tif 000015
【図１５】
0005483721.tif 000016
【図１６】
0005483721.tif 000017
【図１７】
0005483721.tif 000018
【図１８】
0005483721.tif 000019
【図１９】
0005483721.tif 000020